(57)【要約】      （修正有）【課題】確実性、安全性を持ち、簡単にロックを行うことができるコネクタを提供する。【解決手段】互いに接続すべきケーブル１０、１２の接続端にそれぞれ連結されたオスコネクタ１４とメスコネクタ１６とを有し、オスコネクタ接続端部２０とメスコネクタ接続端部４０とはポリカーボネートからなり、オスコネクタ接続端部２０の外周面には凹部が形成され、メスコネクタ接続端部４０の内周面には凸部が形成されて、接続時に、オスコネクタ１４とメスコネクタ１６とを接近させることにより、凸部と凹部とが嵌合し凸部と凹部とによる嵌合力によりロックがなされ、接続を外すときには、オスコネクタ１４とメスコネクタ１６とを前記嵌合力以上の力で引き離すことによりロックが解除される。【選択図】図１Ｂ
0003146918.tif 000002
【実用新案登録請求の範囲】
【請求項１】
互いに接続すべきケーブルの接続端にそれぞれ連結されたオスコネクタとメスコネクタとを有し、
オスコネクタの内部には、連結されたケーブル内の導線と電気的に接続された接触ピンが配設され、
メスコネクタの内部には、接触ピンが挿入可能となり連結されたケーブル内の導線と電気的に接続された接触受けピンが配設され、
少なくともオスコネクタの接続端部分とメスコネクタの接続端部分とはポリカーボネートからなり、
オスコネクタの接続端部分及びメスコネクタの接続端部分のいずれか一方の周面には凹部が形成され、いずれか他方の周面には凸部が形成されて、
接続時に、オスコネクタとメスコネクタとを接近させることにより、接触ピンが接触受けピンに挿入されると共に凸部と凹部とが嵌合し凸部と凹部とによる嵌合力によりロックがなされ、接続を外すときには、オスコネクタとメスコネクタとを前記嵌合力以上の力で引き離すことによりロックが解除されることを特徴とするコネクタ。
【請求項２】
前記オスコネクタの接続端部分と連結されるべきケーブルとは、オスコネクタの接続端部分の一部とケーブルの接続端とを包囲するようにオスコネクタ基部を成形することで一体化され、前記メスコネクタの接続端部分とケーブルとは、メスコネクタの接続端部分の一部と連結されるべきケーブルの接続端とを包囲するようにメスコネクタ基部を成形することで一体化されることを特徴とする請求項１記載のコネクタ。
【請求項３】
前記凹部または前記凸部が形成される前記オスコネクタの接続端部分及び前記メスコネクタの接続端部分の周面同士の間には、Ｏリングが挟着されることを特徴とする請求項１または２記載のコネクタ。
【請求項４】
前記オスコネクタの接続端部分の内周面及び前記メスコネクタの接続端部分の外周面に前記凹部または前記凸部が形成されることを特徴とする請求項１ないし３のいずれか１項に記載のコネクタ。
【考案の詳細な説明】
【技術分野】
【０００１】
本考案は、ケーブルの接続端同士を接続するコネクタに関する。
【背景技術】
【０００２】
従来のコネクタとしては、例えば、特許文献１に記載のプッシュプルコネクタが知られている。
【０００３】
このプッシュプルコネクタは、オスコネクタ及びメスコネクタを有し、これらのオスコネクタ及びメスコネクタに、それぞれ接続する方向に向かって延びるレバーを設け、それらのレバーの何れか一方を撓みレバーとし、それらのレバーの何れか一方にはロック爪と第２の爪を、他方には該ロック爪が係合するロック孔を設け、またオスコネクタとメスコネクタの外側には、この第２の爪を中心に向かって押圧するロック解除環を長手方向に摺動すべく遊嵌している。
【０００４】
このコネクタを接続する場合には、オスコネクタとメスコネクタとを接近させると、一方のレバーのロック爪が他方のレバーのロック孔に係合することで、接続状態がロックされる。また、コネクタを外す場合には、ロック解除環を摺動させて、第２の爪を押圧させることにより、ロック爪とロック孔との係合を解除しロックを解除した状態で、両コネクタを反接続方向に引っ張ることにより、接続を外すことができる。
【０００５】
【特許文献１】登録実用新案第３１０９６２０号公報
【考案の開示】
【考案が解決しようとする課題】
【０００６】
しかしながら、上記従来のプッシュプルコネクタでは、コネクタを外す際に、ロック解除環の摺動というコネクタを直接外す動作とは別の動作が必要になる。また、上記のプッシュプルコネクタ以外のコネクタとして、ロックのためにネジ機構を有するものは、コネクタを外す際に、ネジ機構の螺合を解除する必要がある。
【０００７】
以上のように、従来のコネクタでは、ロック解除環またはネジ機構といった可動部を操作した後にコネクタを外さなければならず、コネクタを直接外す動作とは別の動作が必要になり、操作が面倒で分かりにくく複雑であるという問題がある。
【０００８】
本考案は、かかる課題に鑑みなされたもので、その目的は、確実性、安全性を持ち、簡単にロック及びロック解除を行うことができるコネクタを提供することである。
【課題を解決するための手段】
【０００９】
前述の目的を達成するために、請求項１記載の考案は、互いに接続すべきケーブルの接続端にそれぞれ連結されたオスコネクタとメスコネクタとを有し、
オスコネクタの内部には、連結されたケーブル内の導線と電気的に接続された接触ピンが配設され、
メスコネクタの内部には、接触ピンが挿入可能となり連結されたケーブル内の導線と電気的に接続された接触受けピンが配設され、
少なくともオスコネクタの接続端部分とメスコネクタの接続端部分とはポリカーボネートからなり、
オスコネクタの接続端部分及びメスコネクタの接続端部分のいずれか一方の周面には凹部が形成され、いずれか他方の周面には凸部が形成されて、
接続時に、オスコネクタとメスコネクタとを接近させることにより、接触ピンが接触受けピンに挿入されると共に凸部と凹部とが嵌合し、凸部と凹部とによる嵌合力によりロックがなされ、接続を外すときには、オスコネクタとメスコネクタとを前記嵌合力以上の力で引き離すことによりロックが解除されることを特徴とする。
【００１０】
請求項２記載の考案は、請求項１記載の前記オスコネクタの接続端部分とケーブルとが、オスコネクタの接続端部分の一部とケーブルの接続端とを包囲するようにオスコネクタ基部を成形することで一体化され、前記メスコネクタの接続端部分とケーブルとは、メスコネクタの接続端部分の一部とケーブルの接続端とを包囲するようにメスコネクタ基部を成形することで一体化されることを特徴とする。
【００１１】
請求項３記載の考案は、請求項１または２記載の前記凹部または前記凸部が形成される前記オスコネクタの接続端部分及び前記メスコネクタの接続端部分の周面同士の間に、Ｏリングが挟着されることを特徴とする。
【００１２】
請求項４記載の考案は、請求項１ないし３のいずれか１項に記載の前記オスコネクタの接続端部分の内周面及び前記メスコネクタの接続端部分の外周面に前記凹部または前記凸部が形成されることを特徴とする。
【考案の効果】
【００１３】
本考案によれば、接続時にはオスコネクタとメスコネクタとを接近させ、凸部と凹部の嵌合力によってロックし、接続を外す時にはオスコネクタとメスコネクタとを凸部と凹部の嵌合力以上の力で引き離せばよいので、従来のように、コネクタを外す動作とは別の動作が不要であり、操作が簡単で確実である。また、小型に構成することができる。
【００１４】
オスコネクタの接続端部分とメスコネクタ接続端部分とがそれぞれポリカーボネートにより構成されているために、耐候性に優れ、また、多数回のコネクタの着脱に対しても、凸部と凹部との間の嵌合力を保持することができ、安全である。
【００１５】
請求項２記載の考案によれば、オスコネクタの接続端部分の一部とケーブルの接続端とがオスコネクタ基部によって包囲されて一体化され、メスコネクタの接続端部分の一部とケーブルの接続端とがメスコネクタ基部によって包囲されて一体化されるので、防水性を持たせることができる。
【００１６】
請求項３記載の考案によれば、Ｏリングによってオスコネクタの接続端部分とメスコネクタの接続端部分との間から内部に水が侵入することを防ぐことができ、防水性を高めることができる。
【００１７】
請求項４記載の考案によれば、オスコネクタの接続端部分の内周面とメスコネクタの接続端部分の外周面とを接触させることで、オスコネクタの接続端部分の内部に配設された接触ピンとメスコネクタの接続端部分の内部に配設された接触受けピンとを接続可能な構成とすることができ、コネクタを小型に構成することができる。
【考案を実施するための最良の形態】
【００１８】
以下、図面を用いて本考案の実施の形態を説明する。図１Ａ、Ｂは本考案の実施形態によるコネクタの平面図及び断面図である。
【００１９】
図１Ａ、Ｂに示すように、本考案のコネクタは、互いに接続すべきケーブル１０、１２の接続端にそれぞれ一体に連結されたオスコネクタ１４とメスコネクタ１６とを有している。
【００２０】
オスコネクタ１４は、図２Ａ〜Ｃに示すように、オスコネクタ接続端部２０と、オスコネクタ基部２２とからなり、それぞれ合成樹脂材料から構成されており、少なくともオスコネクタ接続端部２０はポリカーボネートから成形される。オスコネクタ基部２２は、オスコネクタ接続端部２０よりも硬度が低い合成樹脂材料から構成されるとよい。
【００２１】
筒状のオスコネクタ接続端部２０の内部には、複数の導電性の接触ピン２４が互いに平行に且つ互いに同一円周上に周方向に所定間隔をあけて配設されている。接触ピン２４は、任意の数とすることができ、例えば、２〜５本とすることができる。複数の接触ピン２４は、オスコネクタ接続端部２０の基端部に形成された貫通孔２０ｄを貫通しており、貫通した各接触ピン２４の基端部には、ケーブル１０内を配索される導線２６の先端が半田付けされており、各導線２６の周囲には、絶縁膜２８が被覆されている。
【００２２】
オスコネクタ接続端部２０の内部の内周面には、周方向に所定間隔をあけて複数の凹部２０ａが形成されると共に、周方向に１か所、軸方向に延びる溝２０ｂが形成されている。また、オスコネクタ接続端部２０の外周面には、前記溝２０ｂが形成された周方向位置と同一の周方向位置にマーク２０ｃが形成されている。
【００２３】
オスコネクタ接続端部２０の基端部からは、その中心軸上に突起２０ｅが反接続端側に延設され、突起２０ｅは、複数の接触ピン２４の基端部間を仕切っている。
【００２４】
以上のオスコネクタ１４を組み立てるには、まず、成形したオスコネクタ接続端部２０の貫通孔２０ｄに接触ピン２４を基端側から差し込み該接触ピン２４の基端部にケーブル１０内を配索される対応する導線２６を半田付けにより接続する。こうして接続されたオスコネクタ接続端部２０とケーブル１０を金型にセットして、オスコネクタ基部２２をプラスチック成形する。これによって、オスコネクタ１４とケーブル１０が一体成形される。突起２０ｅは、導線２６間の絶縁遮蔽をする役割を果たす。
【００２５】
次に、メスコネクタ１６は、図３Ａ〜Ｃに示すように、メスコネクタ接続端部４０と、メスコネクタ基部４２とからなり、それぞれ合成樹脂材料から構成されており、少なくともメスコネクタ接続端部４０はポリカーボネートから成形される。メスコネクタ基部４２は、メスコネクタ接続端部４０よりも硬度が低い合成樹脂材料から構成されるとよい。
【００２６】
メスコネクタ接続端部４０の内部には、前記複数の接触ピン２４と整合する位置に、接触ピン２４が挿入可能となった受け孔４４ａを有する複数の接触受けピン４４が互いに平行に且つ互いに同一円周上に周方向に所定間隔をあけて配設されている。複数の接触受けピン４４は、メスコネクタ接続端部４０に形成された貫通孔４０ｄを貫通しており、貫通した各接触受けピン４４の基端部には、ケーブル１２内を配索される導線４６の先端が半田付けされており、各導線４６の周囲には、絶縁膜４８が被覆されている。
【００２７】
メスコネクタ接続端部４０の外周面には、周方向に所定間隔をあけて複数の凸部４０ａが形成されると共に、周方向に１か所、軸方向に延びるリブ４０ｂが形成されている。また、メスコネクタ接続端部４０の外周面には、凸部４０ａ及びリブ４０ｂよりも先端側に、環状溝４０ｆが形成される。環状溝４０ｆには、Ｏリング５０が嵌入される。
【００２８】
メスコネクタ接続端部４０の基端部からは、その中心軸上に突起４０ｅが反接続端側に延設され、突起４０ｅは、複数の接触受けピン４４の基端部間を仕切っている。
【００２９】
以上のメスコネクタ１６を組み立てるには、まず、成形したメスコネクタ接続端部４０の貫通孔４０ｄに接触受けピン４４を基端側から差し込み該接触受けピン４４の基端部にケーブル１２内を配索される対応する導線４６を半田付けにより接続する。こうして接続されたメスコネクタ接続端部４０とケーブル１２を金型にセットして、メスコネクタ基部４２をプラスチック成形する。これによって、メスコネクタ１６とケーブル１２が一体成形される。突起４０ｅは、導線４６間の絶縁遮蔽をする役割を果たす。
【００３０】
また、成形されたメスコネクタ基部４２の外周面には、前記リブ４０ｂが形成された周方向位置と同一の周方向位置にマーク４２ａが形成される。
【００３１】
以上のように構成されるオスコネクタ１４とメスコネクタ１６とを接続する際には、オスコネクタ１４のマーク２０ｃとメスコネクタ１６のマーク４２ａとが整列するようにして、オスコネクタ１４とメスコネクタ１６とを接近させる。これによって、メスコネクタ接続端部４０のリブ４０ｂがオスコネクタ接続端部２０の溝２０ｂに挿入され、メスコネクタ接続端部４０の先端部は、オスコネクタ接続端部２０内に挿入され、オスコネクタ接続端部２０内に配設された接触ピン２４がメスコネクタ接続端部４０内に配設された接触受けピン４４の受け孔４４ａ内に挿入されて、電気的な接触が確立される。
【００３２】
完全に接触ピン２４が接触受けピン４４内に挿入されると、メスコネクタ接続端部４０の凸部４０ａがオスコネクタ接続端部２０の凹部２０ａに嵌合する。この凸部４０ａと凹部２０ａとの嵌合力（例えば３００ｇ重（２．９Ｎ）〜５００ｇ重（４．９Ｎ）程度）によって、接続がロックされる。また、この嵌合の際に音が発生するので、ロックを確認することができる。
【００３３】
同時に、メスコネクタ接続端部４０の環状溝４０ｆに嵌入されたＯリング５０は、オスコネクタ接続端部２０の内周面に接触して、オスコネクタ接続端部２０の内周面とメスコネクタ接続端部４０の外周面との間でＯリング５０が挟着されるので水密性が確立される。
【００３４】
コネクタを外す際には、オスコネクタ１４とメスコネクタ１６とを、前記嵌合力以上の力によって引き離すことにより、接続が解除される。
【００３５】
以上のように本考案によるコネクタは、接続時にはオスコネクタ１４とメスコネクタ１６とを接近させ、凸部４０ａと凹部２０ａとの間の嵌合力によってロックされるプッシュオン式ロックであり、接続を外す時にはオスコネクタ１４とメスコネクタ１６とを凸部４０ａと凹部２０ａの嵌合力以上の力で引き離せばよく、従来のように、コネクタを外す動作とは別の動作が不要であるので、操作が簡単で確実である。
【００３６】
また、オスコネクタ接続端部２０の内周面とメスコネクタ接続端部４０の外周面とを接触させて、オスコネクタの接続端部２０の内部に配設された接触ピン２４をメスコネクタの接続端部４０の内部に配設された接触受けピン４４に挿入する構成となっているために、コネクタを小型に構成することができる。
【００３７】
オスコネクタ接続端部２０とメスコネクタ接続端部４０とがそれぞれポリカーボネートにより構成されているために、耐候性に優れ、また、多数回のコネクタの着脱に対しても、凸部４０ａと凹部２０ａとの間の嵌合力を保持することができ安全である。ポリカーボネートのグレードとして、アメリカのＵＬ規格で難燃性クラスＶ０、耐候性クラスＦ１程度のものを使用するとよく、これによって−４０℃から＋１００℃の範囲で使用可能である。
【００３８】
前記Ｏリング５０によって、コネクタの接続状態における、水、塵等の侵入を防ぐことができ、耐環境性を持つことができる。また、ケーブル１０とオスコネクタ１４、及びケーブル１２とメスコネクタ１６とがそれぞれ一体成形されるために、確実に防水を図ることができる。
【００３９】
以上により、確実性、安全性、防水性を有し、野外の使用にも十分に適したコネクタとすることができる。本考案のコネクタは、例えば、ＬＥＤ照明ライト用コネクタとして、または、野外用映像機器用コネクタとして、または任意のコネクタとして使用可能である。
【００４０】
尚、上記実施形態は一例であり、凹部をメスコネクタ接続端部に凸部をオスコネクタ接続端部に形成することも可能であり、また、凸部または凹部をメスコネクタ接続端部の内周面に形成して、凹部または凸部をオスコネクタ接続端部の外周面に形成して、メスコネクタ接続端部をオスコネクタ接続端部内に挿入することにより、メスコネクタ接続端部の内部に配設された接触受けピン内にオスコネクタ接続端部の内部に配設された接触ピンが挿入されるように構成することも可能である。
【図面の簡単な説明】
【００４１】
【図１Ａ】本考案の実施形態によるコネクタの接続状態における平面図である。
【図１Ｂ】本考案の実施形態によるコネクタの接続状態における縦断面図である。
【図２Ａ】オスコネクタの平面図である。
【図２Ｂ】オスコネクタの断面図であり図２Ｃの２Ｂ−２Ｂ線に沿って見た断面図である。
【図２Ｃ】オスコネクタの接続端側から見た図である。
【図３Ａ】メスコネクタの平面図である。
【図３Ｂ】メスコネクタの断面図であり図３Ｃの３Ｂ−３Ｂ線に沿って見た断面図である。
【図３Ｃ】メスコネクタの接続端側から見た図である。
【符号の説明】
【００４２】
１０、１２  ケーブル
１４  オスコネクタ
１６  メスコネクタ
２０  オスコネクタ接続端部
２０ａ  凹部
２２  オスコネクタ基部
２４  接触ピン
２６  導線
４０  メスコネクタ接続端部
４０ａ  凸部
４２  メスコネクタ基部
４４  接触受けピン
４６  導線
５０  Ｏリング
【図１Ａ】
0003146918.tif 000003
【図１Ｂ】
0003146918.tif 000004
【図２Ａ】
0003146918.tif 000005
【図２Ｂ】
0003146918.tif 000006
【図２Ｃ】
0003146918.tif 000007
【図３Ａ】
0003146918.tif 000008
【図３Ｂ】
0003146918.tif 000009
【図３Ｃ】
0003146918.tif 000010